(57)【要約】【課題】トナー像が転写された記録媒体の中間転写ベルトに対する角度を固定する場合と比較し、影響因子が変化しても、画像欠陥の発生を抑制しつつ、転写効率の低下を抑制することが目的である。【解決手段】連続紙Ｐが体積抵抗率の大きいフィルム系の場合はラップ角θが小さくなるように、制御装置は、ポストロール１１０を下方に移動させる。【選択図】図３
2018151444.tif 000002
【特許請求の範囲】
【請求項１】
像保持体に形成されたトナー像が転写される無端状の中間転写ベルトと、
前記中間転写ベルトから前記トナー像を記録媒体に転写させる転写手段と、
前記転写手段の前記記録媒体の搬送方向下流側に設けられ、前記トナー像が転写された前記記録媒体の前記中間転写ベルトに対する角度を変更する角度変更手段と、
を備えた画像形成装置。
【請求項２】
前記角度変更手段は、前記記録媒体の体積抵抗率が大きい場合よりも小さい場合の前記角度を予め定められた角度を下回らない範囲で小さくする、
請求項１に記載の画像形成装置。
【請求項３】
前記角度変更手段は、前記トナー像に低帯電トナーが含まれていない場合よりも含まれている場合の前記角度を予め定められた角度を下回らない範囲で小さくする、
請求項１又は請求項２に記載の画像形成装置。
【請求項４】
前記角度変更手段は、前記トナー像における低帯電トナーの比率が小さい場合よりも大きい場合の前記角度を予め定められた角度を下回らない範囲で小さくする、
請求項３に記載の画像形成装置。
【請求項５】
前記角度変更手段は、前記トナー像における低帯電トナーの単位面積当たりの量が小さい場合よりも大きい場合の前記角度を予め定められた角度を下回らない範囲で小さくする、
請求項３又は４に記載の画像形成装置。
【請求項６】
前記角度変更手段は、前記トナー像に酸化チタンを含むトナーが含まれていない場合よりも含まれている場合の前記角度を予め定められた角度を下回らない範囲で小さくする、
請求項１又は請求項２に記載の画像形成装置。
【請求項７】
前記角度変更手段は、前記トナー像における酸化チタンを含むトナーの比率が小さい場合よりも大きい場合の前記角度を予め定められた角度を下回らない範囲で小さくする、
請求項６に記載の画像形成装置。
【請求項８】
前記角度変更手段は、前記トナー像における酸化チタンを含むトナーの単位面積当たりの量が小さい場合よりも大きい場合の前記角度を予め定められた角度を下回らない範囲で小さくする、
請求項６又は請求項７に記載の画像形成装置。
【請求項９】
前記酸化チタンを含むトナーは、白色トナーである、
請求項６〜請求項８のいずれか１項に記載の画像形成装置。
【請求項１０】
前記角度変更手段は、累積の画像形成時間が少ないときよりも多いときの前記角度を予め定められた角度を下回らない範囲で小さくする、
請求項１〜請求項９のいずれか１項に記載の画像形成装置。
【発明の詳細な説明】
【技術分野】
【０００１】
本発明は、画像形成装置に関する。
【背景技術】
【０００２】
特許文献１には、トナー像担持体上に形成されたトナー像を転写材に転写する転写手段に関する技術が開示されている。この先行技術では、転写部における導電性ベルトと連続紙との接触ニップ領域幅が、用紙とトナー像担持体との接触ニップ領域幅よりも狭くなるように、導電性ゴムローラと導電性ベルトの構成（厚み、ゴム硬度等）、導電性ゴムローラの用紙、トナー像担持体への圧接力の適正化を図っている。
【先行技術文献】
【特許文献】
【０００３】
【特許文献１】特許４９３９８１５号公報
【発明の概要】
【発明が解決しようとする課題】
【０００４】
中間転写ベルトから記録媒体へのトナー像の転写では、転写効率に影響を与える条件が変化すると、転写効率が低下することがある。
【０００５】
本発明は、トナー像が転写された記録媒体の中間転写ベルトに対する角度を固定する場合と比較し、転写効率に影響を与える条件が変化しても、画像欠陥の発生を抑制しつつ、転写効率の低下を抑制することが目的である。
【課題を解決するための手段】
【０００６】
請求項１の発明は、像保持体に形成されたトナー像が転写される無端状の中間転写ベルトと、前記中間転写ベルトから前記トナー像を記録媒体に転写させる転写手段と、前記転写手段の前記記録媒体の搬送方向下流側に設けられ、前記トナー像が転写された前記記録媒体の前記中間転写ベルトに対する角度を変更する角度変更手段と、を備えた画像形成装置。
【０００７】
請求項２の発明は、前記角度変更手段は、前記記録媒体の体積抵抗率が大きい場合よりも小さい場合の前記角度を予め定められた角度を下回らない範囲で小さくする、請求項１に記載の画像形成装置である。
【０００８】
請求項３の発明は、前記角度変更手段は、前記トナー像に低帯電トナーが含まれていない場合よりも含まれている場合の前記角度を予め定められた角度を下回らない範囲で小さくする、請求項１又は請求項２に記載の画像形成装置である。
【０００９】
請求項４の発明は、前記角度変更手段は、前記トナー像における低帯電トナーの比率が小さい場合よりも大きい場合の前記角度を予め定められた角度を下回らない範囲で小さくする、請求項３に記載の画像形成装置である。
【００１０】
請求項５の発明は、前記角度変更手段は、前記トナー像における低帯電トナーの単位面積当たりの量が小さい場合よりも大きい場合の前記角度を予め定められた角度を下回らない範囲で小さくする、請求項３又は４に記載の画像形成装置である。
【００１１】
請求項６の発明は、前記角度変更手段は、前記トナー像に酸化チタンを含むトナーが含まれていない場合よりも含まれている場合の前記角度を予め定められた角度を下回らない範囲で小さくする、請求項１又は請求項２に記載の画像形成装置である。
【００１２】
請求項７の発明は、前記角度変更手段は、前記トナー像における酸化チタンを含むトナーの比率が小さい場合よりも大きい場合の前記角度を予め定められた角度を下回らない範囲で小さくする、請求項６に記載の画像形成装置である。
【００１３】
請求項８の発明は、前記角度変更手段は、前記トナー像における酸化チタンを含むトナーの単位面積当たりの量が小さい場合よりも大きい場合の前記角度を予め定められた角度を下回らない範囲で小さくする、請求項６又は請求項７に記載の画像形成装置である。
【００１４】
請求項９の発明は、前記酸化チタンを含むトナーは、白色トナーである、請求項６〜請求項８のいずれか１項に記載の画像形成装置である。
【００１５】
請求項１０の発明は、前記角度変更手段は、累積の画像形成時間が少ないときよりも多いときの前記角度を予め定められた角度を下回らない範囲で小さくする、請求項１〜請求項９のいずれか１項に記載の画像形成装置である。
【発明の効果】
【００１６】
請求項１に記載の発明によれば、トナー像が転写された記録媒体の中間転写ベルトに対する角度を固定する場合と比較し、転写効率に影響を与える条件が変化しても、画像欠陥の発生を抑制しつつ、転写効率の低下を抑制することができる。
【００１７】
請求項２に記載の発明によれば、トナー像が転写された記録媒体の中間転写ベルトに対する角度を固定する場合と比較し、記録媒体の体積抵抗率が変化しても、画像欠陥の発生を抑制しつつ、転写効率の低下を抑制することができる。
【００１８】
請求項３に記載の発明によれば、トナー像が転写された記録媒体の中間転写ベルトに対する角度を固定する場合と比較し、トナー像に低帯電トナーが含まれていても、画像欠陥の発生を抑制しつつ、転写効率の低下を抑制することができる。
【００１９】
請求項４に記載の発明によれば、トナー像が転写された記録媒体の中間転写ベルトに対する角度を固定する場合と比較し、トナー像における低帯電トナーの比率が変化しても、画像欠陥の発生を抑制しつつ、転写効率の低下を抑制することができる。
【００２０】
請求項５の発明は、トナー像が転写された記録媒体の中間転写ベルトに対する角度を固定する場合と比較し、トナー像における低帯電トナーの単位面積当たりの量が変化しても、画像欠陥の発生を抑制しつつ、転写効率の低下を抑制することができる。
【００２１】
請求項６に記載の発明によれば、トナー像が転写された記録媒体の中間転写ベルトに対する角度を固定する場合と比較し、トナー像に酸化チタンを含むトナーが含まれていても、画像欠陥の発生を抑制しつつ、転写効率の低下を抑制することができる。
【００２２】
請求項７に記載の発明によれば、トナー像が転写された記録媒体の中間転写ベルトに対する角度を固定する場合と比較し、トナー像における酸化チタンを含むトナーの比率が変化しても、画像欠陥の発生を抑制しつつ、転写効率の低下を抑制することができる。
【００２３】
請求項８の発明は、トナー像が転写された記録媒体の中間転写ベルトに対する角度を固定する場合と比較し、トナー像における酸化チタンを含むトナーの単位面積当たりの量の比率が変化しても、画像欠陥の発生を抑制しつつ、転写効率の低下を抑制することができる。
【００２４】
請求項９に記載の発明によれば、トナー像が転写された記録媒体の中間転写ベルトに対する角度を固定する場合と比較し、白色トナーの比率又は単位面積当たりの量が変化しても、画像欠陥の発生を抑制しつつ、転写効率の低下を抑制することができる。
【００２５】
請求項１０に記載の発明によれば、トナー像が転写された記録媒体の中間転写ベルトに対する角度を固定する場合と比較し、累積の画像形成時間が変化しても、画像欠陥の発生を抑制しつつ、転写効率の低下を抑制することができる。
【図面の簡単な説明】
【００２６】
【図１】一実施形態に係る画像形成装置の構成を示す概略側面図である。
【図２】図１の画像形成装置の作像装置の要部の構成を示す概略側面図である。
【図３】図１の画像形成装置の二次転写位置における要部の構成を示す概略側面図である。
【図４】図１の画像形成装置の要部のブロック図である。
【図５】図１の画像形成装置の移動装置の構成を示す概略側面図である。
【図６】ラップ角と転写効率との関係を示すグラフである。
【図７】紙種とラップ角と画像欠陥との関係を示す表である。
【図８】紙種と体積抵抗率との関係を示す表である。
【図９】印字枚数と転写効率との関係を示すグラフである。
【発明を実施するための形態】
【００２７】
＜全体構成＞
本発明の実施形態に係る画像形成装置の一例について説明する。
【００２８】
［画像形成装置の全体構成］
図１に示すように、本実施の形態に係る画像形成装置１０は、記録媒体の一例としての連続した長尺の連続紙Ｐを給紙する給紙装置１２と、給紙装置１２から給紙された連続紙Ｐに画像を形成する画像形成部１４と、画像形成部１４によって画像が形成された連続紙Ｐを収容する収容装置１６と、操作表示部１９と、これら給紙装置１２、画像形成部１４、収容装置１６及び操作表示部１９を制御する制御装置１８と、を備えている。
【００２９】
給紙装置１２には、連続紙Ｐがロール状に巻き取られた給紙ロール２０が設けられている。給紙ロール２０は、図示しない駆動手段によって回転駆動され、搬送ロール対８０を介し連続紙Ｐが画像形成部１４へ供給される。なお、図１中の矢印Ｂで示される方向は、連続紙Ｐの供給方向を示している。また、給紙装置１２の内部には、給紙ロール２０の径を検知する給紙ロールセンサ８４が設けられている。
【００３０】
なお、連続紙Ｐは、便宜上、「紙」の文字を使用しているが、植物等の繊維を主成分とする紙（例えば、上質紙）に特定されるものではない。例えば、合成樹脂からなるフィルムも使用可能である。
【００３１】
収容装置１６には、連続紙Ｐに張力を付与する張力付与ロール８２を介して、画像形成された連続紙Ｐがロール状に巻き取られる収容ロール２２が設けられている。
【００３２】
画像形成部１４は、画像情報に基づいて、第一ホワイト色（Ｗ１）、第二ホワイト色（Ｗ２）イエロー色（Ｙ）、マゼンタ色（Ｍ）、シアン色（Ｃ）及びブラック色（Ｋ）の各色トナーを用いた画像を連続紙Ｐに形成する。なお、第一ホワイト色（Ｗ１）と第二ホワイト色（Ｗ２）とは、同じホワイト色であるので区別する必要がない場合は、ホワイト色（Ｗ）（又は白色（Ｗ））と記す場合がある。
【００３３】
なお、ホワイト色（Ｗ）は、顔料として酸化チタンが用いられている。また、ブラック色（Ｋ）は、顔料としてカーボンブラックが用いられている。
【００３４】
この画像形成部１４には、現像剤を構成する各色トナーで現像されたトナー像を形成する作像装置２４と、作像装置２４で形成されるトナー像をそれぞれ保持して最終的に連続紙Ｐに二次転写する二次転写位置ＮＴまで搬送する中間転写装置２６と、中間転写装置２６の中間転写ベルト４４で搬送されたトナー像を連続紙Ｐに二次転写する二次転写装置４６と、二次転写装置４６で二次転写された連続紙Ｐ上のトナー像を定着させる定着装置２８等を備えている。
【００３５】
作像装置２４は、Ｗ１、Ｗ２、Ｙ、Ｍ、Ｃ、Ｋの各色のトナー像をそれぞれ専用に形成する六つの作像装置２４Ｗ１、２４Ｙ、２４Ｍ、２４Ｃ、２４Ｋ、２４Ｗ２を含んで構成されている。
【００３６】
次に、作像装置２４Ｗ１、２４Ｙ、２４Ｍ、２４Ｃ、２４Ｋ、２４Ｗ２について説明するが、トナーの種類以外は、同様の構成であるので、区別しないで説明する。
【００３７】
図２に示すように、各作像装置２４は、回転する像保持体の一例としての感光体ドラム３０を各々備えている。感光体ドラム３０の周囲には、後述する帯電装置３２、露光装置３４、現像装置３６、一次転写装置３８及び清掃装置４０等が設けられている。
【００３８】
感光体ドラム３０は、接地処理された円筒状又は円柱状の基材の外周面(表面）に感光材料を含む光導電性層（感光層）（図示省略）を有する像保持面が形成されている。また、感光体ドラム３０は、図示しない駆動装置によって動力が伝達されて回転するように支持されている。
【００３９】
帯電装置３２は、感光体ドラム３０に接触した状態で配置される接触型の帯電ロール３２Ａを含んで構成され、感光体ドラム３０の像形成がなされる表面を帯電させる。帯電装置３２には帯電用電圧が供給される。帯電用電圧としては、現像装置３６が反転現像を行うものである場合、その現像装置３６から供給されるトナーの帯電極性と同じ極性の電圧が印加される。本実施の形態では、トナーの帯電極性は負極性とされ、感光体ドラム３０の表面は負極性に帯電されるものとする。
【００４０】
露光装置３４は、帯電された感光体ドラム３０の表面に画像情報に基づく光を照射して感光体ドラム３０の表面に静電潜像を形成する。
【００４１】
現像装置３６は、露光装置３４によって感光体ドラム３０の表面に形成された静電潜像を各々対応する色の現像剤のトナーで現像してトナー像を生成する。現像装置３６は、図示は省略するが、現像剤を感光体ドラム３０と向き合う現像領域まで搬送する現像ロールと、現像剤を攪拌しながら現像ロールに供給するように搬送するスクリューオーガー等の攪拌搬送部材と、現像ロールに保持される現像剤の量を規制する層厚規制部材などを配置して構成されている。この現像装置３６には、現像ロールと感光体ドラム３０との間に現像用のバイアス電圧が印加されるようになっている。また、現像ロールや攪拌搬送部材は、図示しない回転駆動装置からの動力が伝達されて予め定められた方向に回転する。なお、現像剤としては、例えば、非磁性トナーと磁性キャリアとを含む二成分現像剤を使用してもよい。また、現像装置３６に供給されるトナーは、各色のトナーを含む現像剤を収容したトナーカートリッジ９０（図１参照）から供給される。
【００４２】
一次転写装置３８は、感光体ドラム３０の表面に中間転写ベルト４４を介し接触して回転すると共に、一次転写用電圧が供給される一次転写ロール３８Ａを備えた接触型の転写装置とされている。一次転写ロール３８Ａに一次転写用電圧が供給されることにより、感光体ドラム３０に形成された各色のトナー像が中間転写装置２６の中間転写ベルト４４に転写される。本実施の形態では、一次転写用電圧はトナーの帯電極性と逆の極性の直流電圧とされ、該直流電圧が一次転写ロール３８Ａに印加される。
【００４３】
また、清掃装置４０は、一次転写後における感光体ドラム３０の像保持面に残留して付着するトナー等の付着物を取り除いて清掃する。本実施の形態では、清掃装置４０には、感光体ドラム３０に接触するブレード４２が設けられており、このブレード４２によって感光体ドラム３０の表面に付着した付着物が取り除かれるようになっている。
【００４４】
図１に示すように、中間転写装置２６は、各作像装置２４（２４Ｗ１、２４Ｙ、２４Ｍ、２４Ｃ、２４Ｋ、２４Ｗ２）の下方位置に配置されている。中間転写装置２６は、本実施の形態では、感光体ドラム３０と一次転写装置３８の間となる一次転写位置を通過しながら同図中の矢印Ａの方向に回転する中間転写ベルト４４と、中間転写ベルト４４を回転自在に支持する複数のベルト支持ローラ２６Ａ、２６Ｂと、バックアップロール７２と、を主に備えている。また、中間転写装置２６は、図示は省略するが、二次転写装置４６を通過した後に中間転写ベルト４４の外周面に残留して付着するトナーや、紙粉等の付着物を取り除いて清掃するベルト清掃装置を備えている。なお、二次転写装置４６におけるバックアップロール７２は、中間転写装置２６におけるベルト支持ローラとを兼用している。
【００４５】
中間転写ベルト４４としては、例えばポリイミド樹脂、ポリアミド樹脂等の合成樹脂にカーボンブラック等の抵抗調整剤などを分散させた材料で製作される無端状のベルト等が使用される。また、中間転写ベルト４４は、後述するバックアップロール７２と、支持ローラ２６Ａ及び支持ローラ２６Ｂで支持され、バックアップロール７２の軸方向視で、二次転写位置ＮＴを頂点とする逆三角形状に配置されている。
【００４６】
二次転写装置４６は、中間転写装置２６におけるバックアップロール７２に支持されている中間転写ベルト４４の二次転写位置ＮＴにおいて、中間転写ベルト４４の外周面に連続紙Ｐを介し接触して回転する二次転写ロール７４を備えた接触型の転写装置とされている。また、二次転写ロール７４又は中間転写装置２６のバックアップロール７２には、トナーの帯電極性と逆極性又は同極性の直流電圧が二次転写用電圧として印加される。なお、本実施の形態に係る画像形成装置１０では、トナーの帯電極性は負極性とされ、トナーの帯電極性と同極性である負極性の直流電圧が、二次転写用電圧としてバックアップロール７２に印加されている。
【００４７】
また、中間転写ベルト４４の上部には、中間転写ベルト４４に転写されたトナー像の濃度を検出するための濃度センサ４８が設けられており、濃度センサ４８の濃度検出結果に基づいて、トナーの供給量が制御されるようになっている。
【００４８】
定着装置２８は、表面温度が予め定められた温度に保持されるよう加熱手段によって加熱されるロール状（又はベルト状）の加熱用回転体２８Ａと、この加熱用回転体２８Ａに予め定められた圧力で連続紙Ｐを介し接触して回転するロール状（又はベルト状）の加圧用回転体２８Ｂなどを配置して構成されている。定着装置２８では、二次転写装置４６によって連続紙Ｐに転写されたトナー像が加熱及び加圧されることにより、定着処理が行われる。
【００４９】
図１及び図３に示すように、本実施形態においては、二次転写装置４６の二次転写ロール７４の連続紙Ｐの搬送方向の下流側で、定着装置２８の上流側には、角度変更機構１００を構成するポストロール１１０が設けられている。角度変更機構１００は、ポストロール１１０を上下方向であるＺ方向に移動させる移動装置１１２（図４参照）を有している。図４に示すように、移動装置１１２（ポストロール１１０（図３参照））は、制御装置１８によって制御されている。
【００５０】
なお、図３に示すポストロール１１０を上下方向（Ｚ方向）に移動させる移動装置１１２（図４参照）は、どのような機構の装置であってもよい。
【００５１】
一例として図５に示す移動装置１１２が挙げられる。図５の移動装置１１２は、アーム１１４とステッピングモータ１１６とを含んで構成されている。アーム１１４の一端１１４Ａには、ポストロール１１０に軸部１１０Ａが回転可能に支持されている。アーム１１４の他端部１１４Ｂにはステッピングモータ１１６の軸部１１６Ａが固定されている。ステッピングモータ１１６は、制御装置１８によって制御されている。制御装置１８の制御によって、ステッピングモータ１１６の軸部１１６Ａが制御に応じた角度だけ回転する。そして、アーム１１４の一端１１４Ａに回転可能に支持されたポストロール１１０が、角度に応じた移動量だけＺ方向に移動する。
【００５２】
図３に示すように、連続紙Ｐは、ポストロール１１０によって案内され、定着装置２８に搬送される。そして、ポストロール１１０が上下（Ｚ方向）に移動することで、トナー像が転写された連続紙Ｐの中間転写ベルト４４に対するラップ角θが変更される。
【００５３】
ラップ角θを、本実施形態に沿って、より具体的に説明すると、バックアップロール７２の軸方向視で、連続紙Ｐにおける二次転写ロール７４とポストロール１１０との間の直線部分ＰＡと、中間転写ベルト４４におけるバックアップロール７２と支持ローラ２６Ｂ（図１参照）の間の直線部分４４Ａと、が成す角である。言い換えると、バックアップロール７２の軸方向視で、連続紙Ｐにおける直線部分ＰＡの中間転写ベルト４４における直線部分４４Ａに対する角度である。
【００５４】
なお、移動装置１１２によるポストロール１１０の移動、つまりラップ角θの制御装置１８による制御に関する詳細は後述する。
【００５５】
操作表示部１９は、各種プログラムによって操作指示の受け付けを実現する表示ボタンや各種情報が表示されるタッチパネル式の図示しないディスプレイ、及び、テンキーやスタートボタンなどの図示しないハードウェアキー等を含んで構成されている。また、連続紙Ｐの紙種が入力される。
【００５６】
制御装置１８は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、不揮発性メモリ及びＩ／Ｏ等を含んで構成されており、これら各部はバスを介して各々接続されている。なお、Ｉ／Ｏは、画像形成部１４等と制御装置１８とが相互にデータの授受を行うためのインタフェースである。
【００５７】
＜画像形成装置の基本的な動作＞
続いて、画像形成装置１０による基本的な画像形成動作について説明する。
【００５８】
図１に示す画像形成装置１０は、画像形成動作（印刷動作）の要求を受け付けると、六つの作像装置（２４Ｗ１、２４Ｙ、２４Ｍ、２４Ｃ、２４Ｋ、２４Ｗ２）２４、中間転写装置２６、二次転写装置４６、及び定着装置２８等が始動する。
【００５９】
そして、各作像装置２４においては、まず各感光体ドラム３０が回転されて、各帯電装置３２によって各感光体ドラム３０の表面が予め定められた極性及び電位にそれぞれ帯電される。続いて、各露光装置３４によって、帯電後の各感光体ドラム３０の表面に対し、
【００６０】
画像情報に基づく光が照射されることにより、各感光体ドラム３０の表面に各色成分の静電潜像が形成される。
【００６１】
続いて、各現像装置３６によって、各感光体ドラム３０に形成された各色成分の静電潜像に、予め定められた極性に帯電された対応する色（Ｗ１、Ｙ、Ｍ、Ｃ、Ｋ、Ｗ２）のトナーがそれぞれ供給されて静電的に付着され、静電潜像が現像される。これにより、各感光体ドラム３０に形成された各色成分の静電潜像が、対応する色のトナーでそれぞれ現像された各色（Ｗ１、Ｙ、Ｍ、Ｃ、Ｋ、Ｗ２）のトナー像として顕像化される。
【００６２】
続いて、各作像装置２４の感光体ドラム３０上に形成された各色のトナー像が一次転写位置まで搬送されると、一次転写装置３８によって、各色のトナー像が回転する中間転写ベルト４４に対して順番に重ね合わされて一次転写される。
【００６３】
また、一次転写が終了した各作像装置２４では、清掃装置４０によって感光体ドラム３０の表面に残留するトナー等の付着物が除去されて感光体ドラム３０の表面が清掃される。これにより、各作像装置２４は次の作像動作がなされる状態となる。
【００６４】
続いて、中間転写装置２６では、中間転写ベルト４４に一次転写されたトナー像が保持されて二次転写位置ＮＴまで搬送される。一方、給紙装置１２では、作像動作に先立って連続紙Ｐが給紙ロール２０から予め定められた搬送経路に沿って二次転写位置ＮＴまで供給される。
【００６５】
二次転写位置ＮＴにおいては、二次転写装置４６によって、中間転写ベルト４４上のトナー像が連続紙Ｐに一括して二次転写される。また、二次転写が終了した中間転写装置２６では、図示しないベルト清掃装置によって、二次転写後の中間転写ベルト４４の表面に残留したトナー等の付着物が除去される。
【００６６】
続いて、トナー像が二次転写された連続紙Ｐは、角度変更機構１００のポストロール１１０によって案内されて定着装置２８に搬送され、定着装置２８によって定着処理が行われることにより連続紙Ｐにトナー像が定着される。そして、最後に、定着が終了した後の連続紙Ｐは、画像形成部１４から排出されて、収容装置１６の収容ロール２２に巻き取られる。
【００６７】
以上の動作により、各色のトナー像の組み合わせによるフルカラー画像が形成された連続紙Ｐが得られる
【００６８】
＜ラップ角θの制御についての詳細＞
次に制御装置１８によるポストロール１１０の移動の制御（移動装置１１２の制御）、つまりラップ角θの制御に関する詳細について説明する。
【００６９】
［連続紙Ｐの体積抵抗率（Ω・ｃｍ）による制御］
制御装置１８は、連続紙Ｐの体積抵抗率が小さい場合は、大きい場合よりもラップ角θが小さくなるように、ポストロール１１０を上方に移動させる。
【００７０】
ここで、連続紙Ｐの体積抵抗率は、紙種によって異なることが判っている。具体的には、植物等の繊維を主成分とする所謂紙は、合成樹脂からなるフィルムよりも体積抵抗が小さいことが判っている。そして、操作表示部１９から連続紙Ｐの紙種が入力されるので、制御装置１８は、入力された紙種の情報に基づいて、ラップ角θ（ポストロール１１０の位置）を制御する。
【００７１】
本実施形態では、連続紙Ｐが体積抵抗率の小さい紙系の場合はラップ角θを４０°に設定されているが、連続紙Ｐが体積抵抗率の大きいフィルム系の場合はラップ角θが５°大きくなるように、制御装置１８は、ポストロール１１０を下方に移動させる。なお、上記の「紙系」及び「フィルム系」については後述する。
【００７２】
［低帯電トナーの有無等による制御］
制御装置１８は、トナー像に低帯電トナーが含まれている場合は、含まれていない場合よりもラップ角θが小さくなるように、ポストロール１１０を上方に移動させる。
【００７３】
低帯電トナーとは、トナーが低抵抗となる材料が含まれ帯電量が他のトナーよりも低くなる虞があるトナーである。本実施形態では、顔料として酸化チタンが用いられているホワイト色（Ｗ）及び顔料としてカーボンブラックが用いられているブラック色（Ｋ）が、これらが含まれていないイエロー色（Ｙ）、マゼンタ色（Ｍ）及びシアン色（Ｃ）よりも低帯電となる低帯電トナーである。
【００７４】
よって、本実施形態では、ホワイト色（Ｗ）のトナー又はブラック色（Ｋ）のトナーが含まれている場合は、制御装置１８はラップ角θが小さくなるように、ポストロール１１０を上方に移動させる。
【００７５】
その際、低帯電トナー（ホワイト色（Ｗ）のトナー又はブラック色（Ｋ）のトナー）がトナー像全体に占める比率が大きいほど、ラップ角θをより小さくする。或いは、低帯電トナー（ホワイト色（Ｗ）のトナー又はブラック色（Ｋ））の単位面積当たりの量が大きいほどラップ角θを小さくする。
【００７６】
なお、比率と単位面積当たりの量とのいずれか一方のみに基づいてラップ角θを小さくしてもよいし、両方を考慮してラップ角θを小さくしてもよい。両方を考慮するとは、例えは、まず比率によってラップ角θを変更し、次に単位面積当たりの量が大きいほどラップ角θを小さくする等である。つまり、同じ比率であっても単位面積当たりの量が大きいほどラップ角θを小さくする等である。
【００７７】
なお、「トナー像における低帯電トナーの比率」とは、低帯電トナーと非低帯電トナーとからなる（あるいは低帯電トナーおよび非低帯電トナーの一方のみからなる）トナー像全体に対する、低帯電トナーの質量の割合又は体積の割合である。また、「単位面積当たりの量」は、トナー像における低帯電トナーの単位面積当たり質量又は単位面積当たりの体積である。
【００７８】
また、酸化チタンは、カーボンブラックよりもトナーを低帯電化させる。つまり、ホワイト色（Ｗ）のトナーは、ブラック色（Ｋ）のトナーよりも低帯電となる虞がある。
【００７９】
よって、ホワイト色（Ｗ）のトナーが含まれている場合は、制御装置１８はラップ角θをより小さくする。その際、ホワイト色（Ｗ）トナーのトナー像全体に占める比率が大きいほど、ラップ角θを小さくする。或いは、ホワイト色（Ｗ）のトナー単位面積当たりの量が大きいほど、ラップ角θを小さくする。なお、比率と単位面積当たりの量とのいずれか一方のみに基づいてラップ角θを小さくしてもよいし、両方を考慮してラップ角θを小さくしてもよい。
【００８０】
本実施形態では、制御装置１８は、ホワイト色（Ｗ）のトナー又はブラック色（Ｋ）のトナーが含まれている場合は、含まれていない場合に比べ、ラップ角θを、最大で３°小さくする。
【００８１】
また、制御装置１８は、低帯電トナーの比率、低帯電トナーの単位面積当たりの量、ホワイト色（Ｗ）のトナーの比率、及びホワイト色（Ｗ）のトナー単位面積当たりの量の少なくとも一つに応じて、ラップ角θを３°以内の範囲で適宜変更する。
【００８２】
なお、低帯電トナーの比率及び単位面積当たりの量やホワイト色（Ｗ）のトナーの比率及び単位面積当たりの量は、画像データ等の情報から制御装置１８が適宜算出して求める。
【００８３】
［累積の画像形成時間による制御］
制御装置１８は、累積の画像形成時間が長くなるほど、ラップ角θを小さくするために、ポストロール１１０を上方に移動させる。なお、本実施形態では、累積の画像形成時間に応じて、初期値に対して、最大で３°小さくする。また、例えは、ラップ角θを連続的に徐々に小さくてもよいし、予め定めた時間経過毎に予め定めた角度ずつ小さくしてもよい。
【００８４】
［まとめ］
上記のように、本実施形態では、基準となるラップ角θは４０°であるが、連続紙Ｐの体積抵抗率（紙種）と、ホワイト色（Ｗ）のトナー又はブラック色（Ｋ）のトナーの有無・比率・単位面積当たりの量と、累積の画像形成時間と、に応じて、制御装置１８が、適宜ポストロール１１０を上下方に移動させラップ角を変更する。
【００８５】
＜作用及び効果＞
次に本実施形態の作用及び効果について説明する。
【００８６】
先ずトナー像が転写された連続紙Ｐと中間転写ベルト４４とのラップ角θと、二次転写における転写効率及び画像欠陥と、の関係について説明する。
【００８７】
図６は、イエロー色（Ｙ）、マゼンタ色（Ｍ）及びシアン色（Ｃ）の各色トナーのラップ角θと転写効率との関係を示すグラフである。そして、このグラフをみると判るように、ラップ角θが小さくなるほど、転写効率が向上する。
【００８８】
図７の表は、連続紙Ｐの紙種の違いによるラップ角θと画像欠陥との関係、具体的には紙系とフィルム系とにおけるラップ角θと画像欠陥との関係を示している。画像欠陥とは、連続紙Ｐが中間転写ベルト４４に近接すると、両者間で電圧リークが発生し、トナー像が飛ばされて白点が発生する現象である。そして、体積抵抗率の高い連続紙Ｐでは、二次転写によって高帯電化するため、両者間で電圧リークが発生しやすく、画像欠陥が発生しやすい。
【００８９】
図７の表を見ると判るように、体積抵抗率が低い紙系の連続紙Ｐは、ラップ角θが３２．５°でも画像欠陥が実質的に発生しない（表では「○(OK)」と記載されている）が、体積抵抗率が高いフィルム系の連続紙Ｐは、画像欠陥が発生する（表では「×(NG)」と記載されている）。
【００９０】
ここで、連続紙Ｐにおける紙系及びフィルム系について説明する。
【００９１】
紙は植物等の繊維を主成分とし、フィルムは合成樹脂を主成分としている。「紙系」とは、上質紙及び中質紙等の所謂紙に加え、表面に白色顔料及び接着剤等を混ぜた塗料を塗って平滑性をもたせたコート紙等が含まれる。「フィルム系」とは、合成樹脂を主成分とするフィルムに加え、紙にフィルムを被覆した合成紙等が含まれる。
【００９２】
図８に示す表におけるラベルＨＧ及びＮキャストは、上質紙及びコート紙であり、紙系である。また、同表におけるＰＥＴ５０及びユポ８０は、ＰＥＴを主成分とするフィルム及びＰＰを主成分とする合成紙であり、フィルム系である。紙系の体積抵抗率は、１０の１２乗(Ω・cm)程度であり、フィルム系は１０の１５乗(Ω・cm)程度であり、３桁程度の差がある。
【００９３】
本実施形態では、１２乗(Ω・cm)程度の体積抵抗率が小さい紙系の連続紙Ｐではラップ角θは４０°に設定されているが、１０の１２乗(Ω・cm)程度の体積抵抗率が大きいフィルム系の連続紙Ｐではラップ角θが５°大きくなるように、制御装置１８は、ポストロール１１０を下方に移動させる。
【００９４】
よって、連続紙Ｐの中間転写ベルト４４に対するラップ角θを固定する場合と比較し、連続紙Ｐが紙系からフィルム系に変わっても、画像欠陥の発生が抑制される。また、ラップ角θがフィルム系で画像欠陥が抑制される角度に固定する場合と比較し、連続紙Ｐが紙系の場合の転写効率の低下が抑制される。
【００９５】
なお、体積抵抗率が低い紙系の連続紙Ｐは、ラップ角θが３２．５°でも画像欠陥が発生せず、体積抵抗率が高いフィルム系の連続紙Ｐは、ラップ角θが３７．５°でも画像欠陥が発生しない。しかし、本実施形態では、各種ばらつき及び余裕度（マージン）等を考慮し、体積抵抗率が小さい紙系の連続紙Ｐではラップ角θは４０°に設定し、体積抵抗率が大きいフィルム系の連続紙Ｐではラップ角θが５°大きくなるように設定している。
【００９６】
次に低帯電トナーと二次転写における転写効率との関係について説明する。
【００９７】
顔料として酸化チタン及びカーボンブラックが用いられたホワイト色（Ｗ）トナー及びブラック色（Ｋ）トナーは、顔料がトナー母材の表面近傍に偏在すると、トナー間の電荷交換性が大きくなり、トナー同士の摩擦により低帯電トナーを発生させやすい。そして、低帯電トナーは、転写効率の低下を招くことが知られている。
【００９８】
よって、本実施形態では、ホワイト色（Ｗ）のトナー又はブラック色（Ｋ）のトナーが含まれている場合は、制御装置１８はラップ角θを、含まれていない場合よりも最大で３°小さくし、転写効率の低下を抑制する。また、本実施形態においては、制御装置１８は、低帯電トナーの比率、低帯電トナーの単位面積当たりの量、ホワイト色（Ｗ）のトナーの比率、及びホワイト色（Ｗ）のトナーの単位面積当たりの量の少なくとも一つに応じて、ラップ角θを３°以内の範囲で適宜変更する。
【００９９】
なお、体積抵抗率が大きいフィルム系の連続紙Ｐではラップ角θを５°大きくするが、そこから最大で３°小さくする。また、最大で３°小さくなっても４２°であり、３７．５°（予め定められた角度の一例）よりも大きいので画像欠陥が防止される。このように、連続紙Ｐの中間転写ベルト４４に対するラップ角θを固定する場合と比較し、低帯電トナーが含まれていても、画像欠陥の発生を抑制しつつ、転写効率の低下が抑制される。
【０１００】
次に、累積の画像形成時間と二次転写における転写効率との関係について説明する。
【０１０１】
中間転写ベルト４４の表面離型性の低下等のため、二次転写における転写効率が徐々に低下することが判っている。
【０１０２】
図９のグラフは、印字枚数と二次転写における転写効率との関係を示している。なお、印字枚数は、累積の画像形成時間をＡ４用紙に換算した枚数である。そして、この図９のグラフを見ると判るように、二次転写における転写効率は、印字枚数の増加（すなわち累積の画像形成時間）が増加するに従って低下している。
【０１０３】
本実施形態では、制御装置１８は、累積の画像形成時間に応じて最大で３°小さくすることで、転写効率の低下を抑制している。
【０１０４】
なお、体積抵抗率が大きいフィルム系の連続紙Ｐではラップ角θを５°を大きくするが、そこから最大で３°小さくする。また、最大で３°小さくなっても４２°であり、３７．５°よりも大きいので画像欠陥が防止される。
【０１０５】
また、低帯電トナーが含まれていた場合でも、ラップ角θを４２°から更に３°小さくしても、３９°であり、３７．５°よりも大きいので画像欠陥が防止される。このように、連続紙Ｐの中間転写ベルト４４に対するラップ角θを固定する場合と比較し、累積の画像形成時間が長くなっても、画像欠陥の発生を抑制しつつ、転写効率の低下が抑制される。
【０１０６】
なお、上記ラップ角θおよび予め定められた角度は、一例であって、これに限定されるものではない。画像形成装置の構成及び仕様等によって適宜設定すればよい。
【０１０７】
＜その他＞
尚、本発明は、上記実施形態に限定されない。
【０１０８】
例えば、上記本実施形態では、連続紙Ｐの体積抵抗率（紙種）、ホワイト色（Ｗ）のトナー又はブラック色（Ｋ）のトナーの有無・比率・単位面積当たりの量及び累積の画像形成時間に応じて、制御装置１８が、ラップ角θを変更したが、これに限定されない。例えば、人が画像形成装置１０で形成された画像を確認しながら、制御装置１８を操作（制御装置１８に指示）して、ラップ角θを変更してもよい。
【０１０９】
連続紙Ｐの体積抵抗率（紙種）、ホワイト色（Ｗ）のトナー又はブラック色（Ｋ）のトナーの有無・比率・単位面積当たりの量及び累積の画像形成時間の少なくとも一つ以上に応じて、制御装置１８がラップ角θを変更してもよい。
【０１１０】
更に、連続紙Ｐの体積抵抗率（紙種）、ホワイト色（Ｗ）のトナー又はブラック色（Ｋ）のトナーの有無・比率・単位面積当たりの量及び累積の画像形成時間以外の転写効率に影響を与える条件に基づいて、制御装置１８がラップ角θを変更してもよい。
【０１１１】
また、例えば、上記実施形態では、酸化チタンを含むトナーは、酸化チタンが顔料として用いられたホワイト色（Ｗ）トナーであったが、これに限定されない。例えば、酸化チタンが顔料として用いられた金色トナー又は銀色トナーであってもよいし、酸化チタンを外添剤として用いたトナーであってもよい。
【０１１２】
また、連続紙Ｐの体積抵抗率は、紙種の情報で判断していたが、これに限定されない。例えば、連続紙Ｐの体積抵抗率を測定する測定器を設け、測定結果に応じて、ラップ角θを変更してもよい。
【０１１３】
また、角度変更機構１００のポストロール１１０で連続紙Ｐを案内し、ラップ角θを調整したが、これに限定されない。例えば、板状の案内板で連続紙Ｐを案内し、ラップ角θを変更してもよい。
【０１１４】
また、上記実施形態では、連続紙Ｐを用いたが、これに限定されない。カット紙を用いる画像形成装置にも本発明を適用することができる。
【０１１５】
画像形成装置の構成としては、上記実施形態の構成に限られず種々の構成とすることが可能である。
【０１１６】
更に、本発明の要旨を逸脱しない範囲において、種々なる態様で実施し得ることは言うまでもない。
【符号の説明】
【０１１７】
１０      画像形成装置
１８      制御装置（角度変更手段の一例）
３０      感光体（像保持体の一例）
４４      中間転写ベルト
７４      二次転写ロール（転写手段の一例）
１００      角度変更機構（角度変更手段の一例）
【図１】
2018151444.tif 000003
【図２】
2018151444.tif 000004
【図３】
2018151444.tif 000005
【図４】
2018151444.tif 000006
【図５】
2018151444.tif 000007
【図６】
2018151444.tif 000008
【図７】
2018151444.tif 000009
【図８】
2018151444.tif 000010
【図９】
2018151444.tif 000011